(57)【要約】【課題】優先度の高い通信相手先の情報を選択して表示することにより、必要な情報を優先的に表示すること。【解決手段】抽出リスト生成部１０３は、発着信履歴１１３ｂ及びメール送受信履歴１１３ｃから、通信履歴を順位付けする条件毎に通信履歴を順番に所定数選択し、選択した通信履歴のリストを作成する。ポイント付与部１０４は、抽出リスト生成部１０３で作成したリストの各通信履歴に対して、ポイントを付与するとともに係数を乗算することにより各通信履歴に重み付けし、重み付け後のポイントを通信相手先毎に集計することにより通信相手先毎に優先度を設定する。ランキング抽出部１０５は、電話帳情報１１３ａに含まれる情報を優先度が高い順番に通信相手先毎に配列した通信相手先情報を生成する。【選択図】図１
2009038600.tif 000002
【特許請求の範囲】
【請求項１】
電話帳の情報である電話帳情報を記憶するとともに通信相手先との通信履歴を記憶する記憶手段と、
前記通信履歴を順位付けする条件毎に前記通信履歴を順位の高いものから所定数選択する通信履歴選択手段と、
前記順位に基づいて、選択した前記通信履歴における前記通信相手先毎の優先度を設定する優先度設定手段と、
前記通信相手先の前記電話帳情報に含まれる情報を前記優先度が高い順番に前記通信相手先毎に配列した通信相手先情報を生成する通信相手先情報生成手段と、
生成した前記通信相手先情報を提供する提供手段と、
を具備する情報通信端末装置。
【請求項２】
前記優先度設定手段は、前記順位が高い前記通信履歴ほど大きなポイントを付与するとともに、付与した前記ポイントを前記通信相手先毎に加算した加算結果が大きいほど高い前記優先度を設定する請求項１記載の情報通信端末装置。
【請求項３】
電源の電圧を検出する電圧検出手段を具備し、
前記通信履歴選択手段は、前記検出手段で電圧がしきい値以下であることを検出した際に前記選択を行う請求項１または請求項２記載の情報通信端末装置。
【請求項４】
前記提供手段は、表示面を有するとともに、生成した前記通信相手先情報を前記表示面に表示して前記提供を行う請求項１から請求項３のいずれかに記載の情報通信端末装置。
【請求項５】
前記提供手段は、生成した前記通信相手先情報を送信することにより前記提供を行う請求項１から請求項４のいずれかに記載の情報通信端末装置。
【請求項６】
前記優先度設定手段は、通話操作開始を検出した際に、通話したことが前記通信履歴に記憶されている前記通信相手先の前記優先度を、通話したことが前記通信履歴に記憶されていない前記通信相手先の前記優先度よりも大きくなるように重み付けする請求項１から請求項５のいずれかに記載の情報通信端末装置。
【請求項７】
前記優先度設定手段は、メールによる通信の操作開始を検出した際に、メールにより通信したことが前記通信履歴に記憶されている前記通信相手先の前記優先度を、メールにより通信したことが前記通信履歴に記憶されていない前記通信相手先の前記優先度よりも大きくなるように重み付けする請求項１から請求項６のいずれかに記載の情報通信端末装置。
【請求項８】
現在位置を検出する位置検出手段を具備し、
前記記憶手段は、前記通信相手先との通信中に検出した前記現在位置の情報である位置情報を含む前記通信履歴を記憶し、
前記優先度設定手段は、前記位置検出手段で検出した現在位置と一致する前記位置情報を含む前記通信履歴の前記通信相手先の前記優先度を、前記位置検出手段で検出した現在位置と一致しない前記位置情報を含む前記通信履歴の前記通信相手先の前記優先度よりも大きくなるように重み付けする請求項１から請求項７のいずれかに記載の情報通信端末装置。
【請求項９】
電話帳の情報である電話帳情報及びスケジュールの情報であるスケジュール情報を記憶する記憶手段と、
前記スケジュール情報の今日の予定を選択する予定選択手段と、
選択した前記今日の予定に登録されている通信相手先の前記電話帳情報に含まれる情報を通信相手先情報として生成する通信相手先情報生成手段と、
生成した前記通信相手先情報を提供する提供手段と、
を具備する情報通信端末装置。
【請求項１０】
前記今日の予定の現在時刻よりも後の時刻の予定の優先度を、前記今日の予定の現在時刻よりも前の時刻の予定の優先度よりも大きくする優先度設定手段を具備し、
前記通信相手先情報生成手段は、前記優先度が高い順番に前記通信相手先毎に配列した前記通信相手先情報を生成する請求項９記載の情報通信端末装置。
【請求項１１】
電話帳の情報である電話帳情報を記憶するとともに通信相手先との通信履歴を記憶するステップと、
前記通信履歴を順位付けする条件毎に前記通信履歴を順番に所定数選択するステップと、
前記順位に基づいて、選択した前記通信履歴における前記通信相手先毎の優先度を設定するステップと、
前記通信相手先の前記電話帳情報に含まれる情報を前記優先度が高い順番に前記通信相手先毎に配列した通信相手先情報を生成するステップと、
生成した前記通信相手先情報を提供するステップと、
を具備する情報提供方法。
【請求項１２】
電話帳の情報である電話帳情報及びスケジュールの情報であるスケジュール情報を記憶するステップと、
前記スケジュール情報の今日の予定を選択するステップと、
選択した前記今日の予定に登録されている通信相手先の前記電話帳情報に含まれる情報を通信相手先情報として生成するステップと、
生成した前記通信相手先情報を提供するステップと、
を具備する情報提供方法。
【発明の詳細な説明】
【技術分野】
【０００１】
本発明は、情報通信端末装置及び情報提供方法に関し、特にユーザが一番閲覧したい情報を優先的に提供する情報通信端末装置及び情報提供方法に関する。
【背景技術】
【０００２】
従来、通常電圧から低電圧になった際に、携帯端末が、端末内の情報を外部メモリまたはネットワークに保存するものが知られている。そして、低電圧から通常電圧時になった際に、携帯端末は、外部メモリまたはネットワークに保存した情報を端末内に戻すことによりデータを復元する（例えば、特許文献１）。
【０００３】
また、従来、携帯端末が、バッテリーの残量が所定以下になった際に、特定相手先のデータを表示部に表示するものが知られている（例えば、特許文献２）。
【特許文献１】特開２００３−１３１７６５号公報
【特許文献２】特開２００６−２１７２５８号公報
【発明の開示】
【発明が解決しようとする課題】
【０００４】
しかしながら、特許文献１においては、外部メモリまたはネットワークに保存する情報は、電話帳情報全体であるために容量が多く、外部メモリまたはネットワークへの転送に時間を要するという問題がある。また、特許文献２においては、表示する特定相手先のデータは、ユーザにとっては不必要な情報である可能性があるという問題がある。
【０００５】
本発明はかかる点に鑑みてなされたものであり、必要な情報を優先的に表示することができる情報通信端末装置及び情報提供方法を提供することを目的とする。
【課題を解決するための手段】
【０００６】
本発明の情報通信端末装置は、電話帳の情報である電話帳情報を記憶するとともに通信相手先との通信履歴を記憶する記憶手段と、前記通信履歴を順位付けする条件毎に前記通信履歴を順位の高いものから所定数選択する通信履歴選択手段と、前記順位に基づいて、選択した前記通信履歴における前記通信相手先毎の優先度を設定する優先度設定手段と、前記通信相手先の前記電話帳情報に含まれる情報を前記優先度が高い順番に前記通信相手先毎に配列した通信相手先情報を生成する通信相手先情報生成手段と、生成した前記通信相手先情報を提供する提供手段と、を具備する構成を採る。
【０００７】
また、本発明の情報通信端末装置は、電話帳の情報である電話帳情報及びスケジュールの情報であるスケジュール情報を記憶する記憶手段と、前記スケジュール情報の今日の予定を選択する予定選択手段と、選択した前記今日の予定に登録されている通信相手先の前記電話帳情報に含まれる情報を通信相手先情報として生成する通信相手先情報生成手段と、生成した前記通信相手先情報を提供する提供手段と、を具備する構成を採る。
【０００８】
本発明の情報提供方法は、電話帳の情報である電話帳情報を記憶するとともに通信相手先との通信履歴を記憶するステップと、前記通信履歴を順位付けする条件毎に前記通信履歴を順番に所定数選択するステップと、前記順位に基づいて、選択した前記通信履歴における前記通信相手先毎の優先度を設定するステップと、前記通信相手先の前記電話帳情報に含まれる情報を前記優先度が高い順番に前記通信相手先毎に配列した通信相手先情報を生成するステップと、生成した前記通信相手先情報を提供するステップと、を具備するようにした。
【０００９】
また、本発明の情報提供方法は、電話帳の情報である電話帳情報及びスケジュールの情報であるスケジュール情報を記憶するステップと、前記スケジュール情報の今日の予定を選択するステップと、選択した前記今日の予定に登録されている通信相手先の前記電話帳情報に含まれる情報を通信相手先情報として生成するステップと、生成した前記通信相手先情報を提供するステップと、を具備するようにした。
【発明の効果】
【００１０】
本発明によれば、優先度の高い通信相手先の情報を選択して表示することにより、必要な情報を優先的に表示することができる。これにより、ユーザは、必要な情報を必要な時に閲覧することができる。
【発明を実施するための最良の形態】
【００１１】
以下、本発明の実施の形態について、図面を参照して詳細に説明する。
【００１２】
（実施の形態１）
図１は、本発明の実施の形態１に係る情報端末装置１００の構成を示すブロック図である。
【００１３】
位置検出部１０１は、データ通信部１０９を介してＧＰＳ衛星から受信したＧＰＳ信号により現在位置を検出する。
【００１４】
保存制御部１０２は、内部メモリ１１３における情報の記憶処理を制御するものである。具体的には、保存制御部１０２は、データ通信部１０９または赤外線通信部１１０で送受信した際の発着信履歴１１３ｂまたはメール送受信履歴１１３ｃを生成する。また、保存制御部１０２は、通信中に位置検出部１０１で検出した現在位置の情報を含む発着信履歴１１３ｂまたはメール送受信履歴１１３ｃを生成する。そして、保存制御部１０２は、生成した発着信履歴１１３ｂまたはメール送受信履歴１１３ｃを内部メモリ１１３に記憶させる制御を行う。
【００１５】
通信履歴選択手段としての抽出リスト生成部１０３は、制御部１１４からリスト作成の指示を受けた際に、内部メモリ１１３の発着信履歴１１３ｂ及びメール送受信履歴１１３ｃから、通信履歴を順位付けする条件毎に通信履歴を順位の高いものから所定数選択する。そして、抽出リスト生成部１０３は、選択した通信履歴のリストを作成する。また、抽出リスト生成部１０３は、保存制御部１０２の制御に従って、作成したリストを内部メモリ１１３の抽出リストテーブル１１３ｇに記憶させる。そして、抽出リスト生成部１０３は、作成したリストを抽出リストテーブル１１３ｇに記憶させた後に処理終了信号を制御部１１４へ出力する。なお、リストの作成方法については後述する。
【００１６】
優先度設定手段としてのポイント付与部１０４は、制御部１１４から優先度を設定する指示を受けた際に、抽出リスト生成部１０３で通信履歴を順位付けした際の順位に基づいて、選択した通信履歴における通信相手先毎の優先度を設定する。具体的には、ポイント付与部１０４は、内部メモリ１１３の抽出リストテーブル１１３ｇに記憶されているリストの通信履歴の内、順位が高い通信履歴ほど優先度が高くなるように通信履歴に対して重み付けする。また、ポイント付与部１０４は、通話操作開始を知らせる通知信号を制御部１１４から受けた際に、メール送受信履歴１１３ｃから抽出した情報よりも発着信履歴１１３ｂから抽出した情報の優先度が高くなるように重み付けする。また、ポイント付与部１０４は、メールによる通信操作開始を知らせる通知信号を制御部１１４から受けた際に、発着信履歴１１３ｂから抽出した情報よりもメール送受信履歴１１３ｃから抽出した情報の優先度が高くなるように重み付けする。また、ポイント付与部１０４は、後述する表示部１１１に表示された通信相手先情報の中から選択された通信相手先の情報を表示部１１１から取得し、選択された通信相手先に関する通信履歴が、選択されなかった通信相手先に関する通信履歴よりも優先度が高くなるように重み付けする。また、ポイント付与部１０４は、重み付け後の通信履歴を通信相手先毎に集計し、集計後の優先度が高い通信相手先から順番に並べたリストを作成する。そして、ポイント付与部１０４は、リストを作成した後に処理終了信号を制御部１１４へ出力する。ここで、重み付けとは、リストの各通信履歴にポイントを付与する処理、またはリストの各通信履歴に付与したポイントに対して係数を乗算する処理である。なお、重み付けする方法については後述する。
【００１７】
通信相手先情報生成手段としてのランキング抽出部１０５は、制御部１１４からリスト作成の指示を受けた際に、通信相手先の電話帳情報１１３ａに含まれる情報を、ポイント付与部１０４で設定した優先度が高い順番に通信相手先毎に配列した通信相手先情報を生成する。そして、ランキング抽出部１０５は、保存制御部１０２の制御に従って、生成した通信相手先情報を内部メモリ１１３の抽出結果テーブル１１３ｈに記憶させる。
【００１８】
処理指示部１０６は、電圧残量検出部１０７から報告された検出結果において、電池１０８の電圧がしきい値以下の際に、制御部１１４に対してその旨を通知する。
【００１９】
電圧残量検出部１０７は、電池１０８の電圧を検出する。そして、電圧残量検出部１０７は、処理指示部１０６に対して、検出結果を報告する。
【００２０】
電池１０８は、情報端末装置１００の各部へ電力を供給する。
【００２１】
データ通信部１０９は、制御部１１４の指示により、内部メモリ１１３に記憶している通信相手先または内部メモリ１１３に記憶していない通信相手先と無線で通信を行うために、送信信号または受信信号に対して所定の無線処理を行う。その際に、データ通信部１０９は、制御部１１４から送信信号を取得して送信するとともに、受信した受信信号を制御部１１４へ出力する。
【００２２】
赤外線通信部１１０は、制御部１１４の指示により、内部メモリ１１３に記憶されている通信相手または内部メモリ１１３に記憶されていない通信相手と赤外線で無線通信を行うために、送信信号または受信信号に対して所定の無線処理を行う。その際に、赤外線通信部１１０は、制御部１１４から送信信号を取得して送信するとともに、受信した受信信号を制御部１１４へ出力する。
【００２３】
表示部１１１は、抽出結果テーブル１１３ｈに記憶している優先度の高い順番に並べたリストを通信相手先情報として表示する。また、表示部１１１は、表示した通信相手先情報の中から、通話またはメールの送信の宛先として選択された通信相手先の情報をポイント付与部１０４へ出力する。
【００２４】
入力部１１２は、内部メモリ１１３に記憶している電話帳情報の通信相手先または内部メモリ１１３に記憶している電話帳情報の通信相手先以外の通信相手先への通話開始指示またはメール送信開始指示等の外部入力を受け付ける。そして、入力部１１２は、制御部１１４に対して、通話開始指示またはメール送信開始指示を受け付けたことを通知する。
【００２５】
内部メモリ１１３は、電話帳情報１１３ａを記憶した個人情報テーブル１１３ｄ、発着信履歴１１３ｂを記憶した発着信履歴テーブル１１３ｅ、メール送受信履歴１１３ｃを記憶したメール送受信履歴テーブル１１３ｆを有する。また、内部メモリ１１３は、抽出リスト生成部１０３で作成したリストを記憶する抽出リストテーブル１１３ｇ及びランキング抽出部１０５で選択した情報を記憶する抽出結果テーブル１１３ｈを有する。
【００２６】
制御部１１４は、位置検出部１０１、保存制御部１０２、抽出リスト生成部１０３、ポイント付与部１０４、ランキング抽出部１０５、処理指示部１０６、電圧残量検出部１０７、電池１０８、データ通信部１０９、赤外線通信部１１０、表示部１１１、入力部１１２及び内部メモリ１１３を制御する。また、制御部１１４は、通信相手先に送信する送信信号を生成してデータ通信部１０９または赤外線通信部１１０へ出力する。また、制御部１１４は、データ通信部１０９または赤外線通信部１１０から受信信号を取得し、取得した受信信号を解析することにより所定の情報を取得する。また、制御部１１４は、処理指示部１０６から電源電圧がしきい値以下になった旨の通知を受けた際に、抽出リスト生成部１０３に対して、リストの作成を指示する。また、制御部１１４は、抽出リスト生成部１０３から処理終了信号が入力した際に、ポイント付与部１０４に対して、優先度を設定するように指示する。また、制御部１１４は、ポイント付与部１０４から処理終了信号が入力した際に、ランキング抽出部１０５に対してリストの作成を指示する。また、制御部１１４は、通話開始指示またはメール送信開始指示を受け付けたことの通知を入力部１１２から受けた際に、ポイント付与部１０４に対して、各指示を受けたことを通知する通知信号を出力する。
【００２７】
次に、情報通信端末装置１００を用いた情報提供方法について、図２を用いて説明する。図２は、情報提供方法を示す図である。
【００２８】
最初に、情報通信端末装置１００の抽出リスト生成部１０３は、内部メモリ１１３内に発着信履歴１１３ｂが記憶されているか否か判定する（ステップＳＴ２０１）。
【００２９】
発着信履歴１１３ｂが記憶されている場合には、抽出リスト生成部１０３は、通信履歴を順位付けする条件毎に順番に上位３つの通信履歴を選択し、条件毎に選択した上位３つの通信履歴のリストを生成する（ステップＳＴ２０２）。なお、選択する通信履歴の数は、条件毎に３つにする場合に限らず、１つ、２つまたは４つ以上の任意の数にすることができる。
【００３０】
図３は、発着信履歴１１３ｂの一例を示す図である。図３の発着信履歴１１３ｂは、発着状況、ＩＤ、発着信した時間、通話時間及び発着信した場所を対応付けた情報である。例えば、図３の場合、履歴＃３０１は、ＩＤ０００２のユーザが、２００７年３月８日の１２：００：００に横浜から発信し、それから１０秒間通話を行ったことを示している。なお、発着信履歴１１３ｂは、図３の場合に限らず、ＩＤを含む情報であれば、図３の情報に加えて、または図３の情報に変えて、テレビ電話の発着信した時間、テレビ電話の視聴時間またはテレビ電話の通話時間等の任意の情報を適宜組み合わせることができる。
【００３１】
図２に戻って、ステップＳＴ２０１において、発着信履歴１１３ｂが記憶されていない場合、またはステップＳＴ２０２の処理が終了した場合に、抽出リスト生成部１０３は、内部メモリ１１３内にメール送受信履歴１１３ｃが記憶されているか否かを判定する（ステップＳＴ２０３）。
【００３２】
メール送受信履歴１１３ｃが記憶されている場合には、抽出リスト生成部１０３は、通信履歴を順位付けする条件毎に順番に上位３つの通信履歴を選択し、条件毎に選択した上位３つの通信履歴のリストを生成する（ステップＳＴ２０４）。一方、メール送受信履歴１１３ｃが記憶されていない場合には、情報通信端末装置１００は、提供する情報がないので処理を終了する。
【００３３】
図４は、メール送受信履歴１１３ｃの一例を示す図である。ここで、ＩＤは、通信相手先毎に固有のものであるとともに、電話帳情報１１３ａ、発着信履歴１１３ｂ及びメール送受信履歴１１３ｃで一致している。従って、電話帳情報１１３ａ、発着信履歴１１３ｂ及びメール送受信履歴１１３ｃは、ＩＤによって互いに対応付けることができる。例えば、図４の場合、履歴＃４０１は、ＩＤ０００２のユーザが、２００７年３月８日の１２：０５：００に横浜から１０ｂｙｔｅの容量のメールを送信したことを示している。
【００３４】
ここで、通信履歴を順位付けする条件について説明する。
【００３５】
最初に、発着信履歴１１３ｂを用いて通信履歴を順位付けする条件について説明する。抽出リスト生成部１０３は、以下の条件に従って発着信履歴１１３ｂから通信履歴を選択する。例えば、抽出リスト生成部１０３は、発信時間と着信時間の中で最新の通信履歴から順番に選択する条件（選択Ｎｏ．０００１）、発信時間が最新の通信履歴から順番に選択する条件（選択Ｎｏ．０００２）、着信時間が最新の通信履歴から順番に選択する条件（選択Ｎｏ．０００３）、発信回数と着信回数を足した回数が多い通信相手先の通信履歴から順番に選択する条件（選択Ｎｏ．０００４）、発信回数が多い通信相手先の通信履歴から順番に選択する条件（選択Ｎｏ．０００５）、着信回数が多い通信相手先の通信履歴から順番に選択する条件（選択Ｎｏ．０００６）、発信の際及び着信の際の通話時間が長い通信履歴から順番に選択する条件（選択Ｎｏ．０００７）、発信の際の通話時間が長い通信履歴から順番に選択する条件（選択Ｎｏ．０００８）、着信の際の通話時間が長い通信履歴から順番に選択する条件（選択Ｎｏ．０００９）、発信または着信の際の場所が現在位置と一致する通信履歴を選択する条件（選択Ｎｏ．００１０）、発信の際の場所が現在位置と一致する通信履歴を選択する条件（選択Ｎｏ．００１１）、着信の際の場所が現在位置と一致する通信履歴を選択する条件（選択Ｎｏ．００１２）、発信時間または着信時間が含まれるあらかじめ設定した時間帯と現在時刻が含まれる時間帯とが同じ通信履歴を選択する条件（選択Ｎｏ．００１３）、発信時間が含まれるあらかじめ設定した時間帯と現在時刻が含まれる時間帯とが同じ通信履歴を選択する条件（選択Ｎｏ．００１４）、または着信時間が含まれるあらかじめ設定した時間帯と現在時刻が含まれる時間帯とが同じ通信履歴を選択する条件（選択Ｎｏ．００１５）に従って通信履歴を選択する。ここで、時間帯とは、１時間毎、または午前と午後等の１日を分割できる任意の時間である。なお、発着信履歴１１３ｂに含まれる場所は、図３の場合に限らず、県、国または個人の移動範囲等の任意の範囲にすることができる。
【００３６】
次に、メール送受信履歴１１３ｃを用いて通信履歴を順位付けする条件について説明する。抽出リスト生成部１０３は、以下の条件に従ってメール送受信履歴１１３ｃから通信履歴を選択する。例えば、抽出リスト生成部１０３は、メール送信時間とメール受信時間の中で最新の通信履歴から順番に選択する条件（選択Ｎｏ．１００１）、メール送信時間が最新の通信履歴から順番に選択する条件（選択Ｎｏ．１００２）、メール受信時間が最新の通信履歴から順番に選択する条件（選択Ｎｏ．１００３）、メール送信回数とメール受信回数を足した回数が多い通信相手先の通信履歴から順番に選択する条件（選択Ｎｏ．１００４）、メール送信回数が多い通信相手先の通信履歴から順番に選択する条件（選択Ｎｏ．１００５）、メール受信回数が多い通信相手先の通信履歴から順番に選択する条件（選択Ｎｏ．１００６）、メール送信の際及びメール受信の際の通話時間が長い通信履歴から順番に選択する条件（選択Ｎｏ．１００７）、メール送信の際の通話時間が長い通信履歴から順番に選択する条件（選択Ｎｏ．１００８）、メール受信の際の通話時間が長い通信履歴から順番に選択する条件（選択Ｎｏ．１００９）、メール送信またはメール受信の際の場所が現在位置と一致する通信履歴を選択する条件（選択Ｎｏ．１０１０）、メール送信の際の場所が現在位置と一致する通信履歴を選択する条件（選択Ｎｏ．１０１１）、メール受信の際の場所が現在位置と一致する通信履歴を選択する条件（選択Ｎｏ．１０１２）、メール送信時間またはメール受信時間が含まれるあらかじめ設定した時間帯と現在時刻が含まれる時間帯とが同じ通信履歴を選択する条件（選択Ｎｏ．１０１３）、メール送信時間が含まれるあらかじめ設定した時間帯と現在時刻が含まれる時間帯とが同じ通信履歴を選択する条件（選択Ｎｏ．１０１４）、メール受信時間が含まれるあらかじめ設定した時間帯と現在時刻が含まれる時間帯とが同じ通信履歴を選択する条件（選択Ｎｏ．１０１５）、送信したメール及び受信したメールの文中に含まれる特定の絵文字の個数が多い通信履歴から順番に選択する条件（選択Ｎｏ．１０１６）、送信したメールの文中に含まれる特定の絵文字の個数が多い通信履歴から順番に選択する条件（選択Ｎｏ．１０１７）または受信したメールの文中に含まれる特定の絵文字の個数が多い通信履歴から順番に選択する条件（選択Ｎｏ．１０１８）に従って通信履歴を選択する。ここで、時間帯とは、上記と同様に、１時間毎、または午前と午後等の１日を分割できる任意の時間である。なお、発着信履歴１１３ｂに含まれる場所は、図４の場合に限らず、県、国または個人の移動範囲等の任意の範囲にすることができる。
【００３７】
また、抽出リスト生成部１０３は、以下の通信履歴を順位付けする条件に従って発着信履歴１１３ｂ及びメール送受信履歴１１３ｃから通信履歴を選択する。例えば、抽出リスト生成部１０３は、発信時間、着信時間、メール送信時間及びメール受信時間の中で最新の通信履歴から順番に選択する条件（選択Ｎｏ．２００１）、発信、着信、メール送信及びメール受信の際の場所が現在位置と一致する通信履歴を選択する条件（選択Ｎｏ．２００２）、発信時間、着信時間、メール送信時間またはメール受信時間が含まれるあらかじめ設定した時間帯と現在時刻が含まれる時間帯とが同じ通信履歴を選択する条件（選択Ｎｏ．２００３）に従って通信履歴を選択する。ここで、時間帯とは、上記と同様に、１時間毎、または午前と午後等の１日を分割できる任意の時間である。なお、発着信履歴１１３ｂに含まれる場所は、図４の場合に限らず、県、国または個人の移動範囲等の任意の範囲にすることができる。
【００３８】
抽出リスト生成部１０３は、通信履歴を選択した結果、図５に示すリストを生成することができる。図５は、通信相手先情報を生成する方法を示す図である。
【００３９】
図５より、抽出リスト生成部１０３は、通信履歴情報１１３ｂ及びメール送受信履歴１１３ｃから選択した、上記の通信履歴を順位付けする条件毎に順番に通信履歴を選択し、選択した通信履歴を用いて抽出リスト構造体＃５０１を生成する。
【００４０】
図５の場合、リストＮｏ．０００１〜リストＮｏ．０００３は、発信時間と着信時間の中で最新の通信履歴から順番に抽出する条件（選択Ｎｏ．０００１）で選択した通信履歴の上位３つを上位から順番に並べたものである。また、リストＮｏ．０００４〜リストＮｏ．０００６は、メール送信時間とメール受信時間の中で最新の通信履歴から順番に抽出する条件（選択Ｎｏ．１００１）で選択した通信履歴の上位３つを上位から順番に並べたものである。なお、リストＮｏ．０００７以降は抽出した情報がないものとする。
【００４１】
図２に戻って、次に、ポイント付与部１０４は、抽出リスト構造体＃５０１の順位が「１」のリストＮｏ．０００１、リストＮｏ．０００４にポイント「３」を代入する（ステップＳＴ２０５）。図５に示すように、各リストＮｏにおけるポイント初期値＃５０２は全て「０」であり、ポイント付与部１０４がポイント「３」を代入することにより、各リストＮｏにおけるポイントは参照符号＃５０３のようになる。
【００４２】
次に、ポイント付与部１０４は、抽出リスト構造体＃５０１の順位が「２」のリストＮｏ．０００２、リストＮｏ．０００５にポイント「２」を代入する（ステップＳＴ２０６）。これにより、各リストＮｏにおけるポイントは参照符号＃５０４のようになる。
【００４３】
次に、ポイント付与部１０４は、抽出リスト構造体＃５０１の順位が「３」のリストＮｏ．０００３、リストＮｏ．０００６にポイント「１」を代入する（ステップＳＴ２０７）。即ち、ポイント付与部１０４は、順位が高い通信履歴ほどポイントが高くなるようにポイントを付与する。これにより、各リストＮｏにおけるポイントは参照符号＃５０５のようになる。なお、ポイントを付与する順位及びポイントの数値は任意に決めることができる。
【００４４】
次に、ポイント付与部１０４は、緊急度が高いと思われる抽出Ｎｏに係数「２」を乗算する（ステップＳＴ２０８）。例えば、ポイント付与部１０４は、通話する通信相手先よりもメールを送信または受信する通信相手先の方が緊急度が高いものと判断してリストＮｏ．０００４〜Ｎｏ．０００６のポイントに係数「２」を乗算する。なお、乗算する係数は「２」に限らず、「２」以外の任意の値を選択することができる。また、乗算する係数は単一の係数に限らず、緊急度に応じた複数の異なる値の係数を乗算しても良い。係数を乗算した後の最終的なポイントは、参照符号＃５０６のようになる。また、緊急度が高いか否かは、上記の場合に限らず、一度選択された通信相手先情報の通信相手先であるか否か等の任意の条件により判断することが可能である。
【００４５】
図６は、参照符号＃５０６におけるポイント付与結果を見やすくまとめた図である。
【００４６】
次に、ポイント付与部１０４は、図６において、同一のＩＤのポイントは同一の通信相手先に付与されたポイントであるので、ＩＤ毎にポイントを集計する。
【００４７】
図６より、０００１及び０００７のＩＤの通信相手先のポイントが複数存在するので、同一ＩＤのポイントを加算すると、図７（ａ）に示すようになる。図７は、ポイントの集計を示す図であり、図７（ａ）はランキング処理前の集計結果であり、図７（ｂ）はランキング処理後の集計結果である。この結果、ポイント付与部１０４は、０００１のＩＤの通信相手先が１位、０００３のＩＤの通信相手先が２位、０００７のＩＤの通信相手先が３位、及び０００５のＩＤの通信相手先が４位であることを求めることができる。
【００４８】
再び図２に戻って、次に、ランキング抽出部１０５は、ランキング処理後の通信相手先のＩＤに対応する電話番号及びメールアドレスを電話帳情報１１３ａから抽出する（ステップＳＴ２０９）。
【００４９】
図８は、電話帳情報１１３ａの一例を示す図である。図８の電話帳情報１１３ａは、ＩＤ、通信相手先の名前、電話番号及びメールアドレスを対応付けた情報である。
【００５０】
ランキング抽出部１０５は、図７（ｂ）の０００１、０００３、０００７、０００５のＩＤの電話番号及びメールアドレスを、図８の電話帳情報１１３ａから抽出する。
【００５１】
次に、ランキング抽出部１０５は、図９に示す検出結果の構造体を生成し（ステップＳＴ２１０）、保存制御部１０２は、ランキング抽出部１０５が生成した図９に示す構造体を内部メモリ１１３の抽出結果テーブル１１３ｈに記憶させる。
【００５２】
次に、情報通信端末装置１００は、内部メモリの抽出結果テーブル１１３ｈに記憶した図９の構造体を、通信相手先情報として表示部１１１に表示し、データ通信部１０９を介してサーバに送信し、または赤外線通信部１１０を介して通信相手端末に送信して、優先度の高い情報を提供する（ステップＳＴ２１１）。
【００５３】
次に、情報通信端末装置１００及びサーバの動作について、図１０を用いて説明する。図１０は、情報通信端末装置１００及びサーバの動作を示すシーケンス図である。
【００５４】
最初に、情報通信端末１００の処理指示部１０６は、電池１０８の電圧がしきい値以下になった検出結果を取得する（ステップＳＴ１００１）。
【００５５】
次に、情報通信端末１００は、内部メモリ１１３の抽出結果テーブル１１３ｈに記憶している、図２で説明した方法で図９の構造体を作成する（ステップＳＴ１００２）。
【００５６】
次に、情報通信端末装置１００は、作成した構造体を通信相手先情報としてサーバ１０へ送信する（ステップＳＴ１００３）。
【００５７】
次に、サーバ１０は、受信した通信相手先情報を保存する（ステップＳＴ１００４）。
【００５８】
次に、サーバ１０は、情報通信端末装置１００に対して、所定のタイミングで、通信相手先情報の保存先の情報である保存先情報を通知する（ステップＳＴ１００５）。ここで、保存先情報とは、例えばＵＲＬである。この際に、情報通信端末装置１００は、通知されたことをユーザが認識できるように振動等により報知しても良いし、報知しなくても良い。
【００５９】
次に、情報通信端末装置１００は、通知された保存先情報を記憶する（ステップＳＴ１００６）。
【００６０】
次に、情報通信端末装置１００は、電池１０８の電圧がさらに低下して、通信相手とは通信できない状態（電源断）になった際に（ステップＳＴ１００７）、キー入力等の特定の動作による入力部１１２に対する入力を検出する（ステップＳＴ１００８）。
【００６１】
次に、情報通信端末装置１００の制御部１１４は、内部メモリ１１３の抽出結果テーブル１１３ｈに記憶している図９の構造体を通信相手先情報として表示部１１１に表示させる処理、またはステップＳＴ１００６で記憶した保存先情報を表示部１１１に表示させる処理を行う（ステップＳＴ１００９）。なお、上記の場合、情報通信端末装置１００は、電池１０８の電圧が通信相手とは通信できないほど低下している状態であっても、表示部１１１に表示する程度の電圧が電池１０８に残っている状態で表示を行う。
【００６２】
次に、情報通信端末装置１００は、充電等を行うことにより電池１０８の電圧が上昇した際に、サーバ１０に対して、ステップＳＴ１００３で送信した通信相手先情報を削除することを要求する（ステップＳＴ１０１０）。なお、サーバ１０は、通信相手先情報を削除する要求を受けた際に、記憶している通信相手先情報を削除する場合に限らず、所定の時間が経過した際に通信相手先情報を削除するようにしても良い。
【００６３】
一方、情報通信端末装置１００以外の他の装置２０が、保存先情報を取得した際に、サーバ１０の通信相手先情報の保存先にアクセスし（ステップＳＴ１０１１）、通信相手先情報を取得しても良い（ステップＳＴ１０１２）。ここで、他の装置２０は、例えば携帯電話等の通信端末装置、パーソナルコンピュータまたはＰＤＦである。
【００６４】
このように、本実施の形態によれば、優先度の高い通信相手先の情報を選択して表示することにより、必要な情報を優先的に表示することができる。これにより、ユーザは、必要な情報を必要な時に閲覧することができる。また、本実施の形態によれば、電源の電圧が低下した際に通信相手先情報を提供するので、電話帳情報を記憶している情報端末装置を用いた通信が不能になった際に、他の通信端末装置で通信する際の電話帳として使用することができる。
【００６５】
なお、本実施の形態において、発着信履歴及びメール送受信履歴を用いて通信相手先情報を作成したが、本発明はこれに限らず、発着信履歴及びメール送受信履歴以外の任意の情報を用いて通信相手先情報を作成することができる。また、本実施の形態において、ランキング抽出部１０５でランキング処理した全ての通信相手先の通信相手先情報を表示または送信したが、本発明はこれに限らず、ランキング抽出部１０５でランキング処理した後の順位が所定順位以上の通信相手先のみの通信相手先情報を表示または送信しても良い。
【００６６】
（実施の形態２）
図１１は、本発明の実施の形態２に係る情報通信端末装置１１００の構成を示すブロック図である。
【００６７】
図１１に示す情報通信端末装置１１００は、図１に示す実施の形態１に係る情報通信端末装置１００に対して、位置検出部１０１を除き、時計部１１０１を追加し、抽出リスト生成部１０３の代わりに抽出リスト生成部１１０２を有し、ポイント付与部１０４の代わりにポイント付与部１１０３を有し、ランキング抽出部１０５の代わりにランキング抽出部１１０４を有し、内部メモリ１１３の代わりに内部メモリ１１０５を有し、制御部１１４の代わりに制御部１１０６を有する。なお、図１１において、図１と同一構成である部分には同一の符号を付してその説明を省略する。
【００６８】
時計部１１０１は、現在時刻を計測する。
【００６９】
予定選択手段としての抽出リスト生成部１１０２は、制御部１１０６からリスト作成の指示を受けた際に、内部メモリ１１０５に記憶されているスケジュール情報１１０５ａから、今日の予定を選択してリストを作成する。そして、抽出リスト生成部１１０２は、保存制御部１０２の制御に従って、作成したリストを内部メモリ１１０５の抽出リストテーブル１１０５ｂに記憶させる。そして、抽出リスト生成部１１０２は、作成したリストを抽出リストテーブル１１０５ｂに記憶させた後に処理終了信号を制御部１１０６へ出力する。なお、リストの作成方法については後述する。
【００７０】
優先度設定手段としてのポイント付与部１１０３は、制御部１１０６から優先度を設定する指示を受けた際に、抽出リスト生成部１１０２で作成したリストにおいて、現在時刻よりも後の時刻の予定の優先度を、現在時刻よりも前の時刻の予定の優先度よりも大きくなるように重み付けする。また、ポイント付与部１１０３は、表示部１１１に表示された通信相手先情報の中から選択された通信相手先の情報を表示部１１１から取得し、選択された通信相手先に関する通信履歴が、選択されなかった通信相手先に関する通信履歴よりも優先度が高くなるように重み付けする。また、ポイント付与部１１０３は、重み付け後の予定を通信相手先毎に集計し、集計後の優先度が高い通信相手先から順番に並べたリストを作成する。そして、ポイント付与部１１０３は、リストを作成した後に処理終了信号を制御部１１０６へ出力する。ここで、重み付けとは、リストの各情報にポイントを付与する処理、またはリストの各情報に付与したポイントに対して係数を乗算する処理である。なお、重み付けする方法については後述する。
【００７１】
通信相手先情報生成手段としてのランキング抽出部１１０４は、制御部１１０６からリスト作成の指示を受けた際に、通信相手先の電話帳情報１１３ａに含まれる情報を、ポイント付与部１１０３で設定した優先度が高い順番に通信相手先毎に配列した通信相手先情報を生成する。そして、ランキング抽出部１１０４は、保存制御部１０２の制御に従って、生成した通信相手先情報を内部メモリ１１０５の抽出結果テーブル１１０５ｃに記憶させる。
【００７２】
内部メモリ１１０５は、電話帳情報１１３ａを記憶した個人情報テーブル１１３ｄを有する。また、内部メモリ１１０５は、抽出リスト生成部１１０２で作成したリストを記憶する抽出リストテーブル１１０５ｂ及びランキング抽出部１１０４で選択した情報を記憶する抽出結果テーブル１１０５ｃを有する。また、内部メモリ１１０５は、スケジューリング情報を記憶する。
【００７３】
制御部１１０６は、保存制御部１０２、処理指示部１０６、電圧残量検出部１０７、電池１０８、データ通信部１０９、赤外線通信部１１０、表示部１１１、入力部１１２、抽出リスト生成部１１０２、ポイント付与部１１０３、ランキング抽出部１１０４及び内部メモリ１１０５を制御する。また、制御部１１０６は、通信相手先に送信する送信信号を生成してデータ通信部１０９または赤外線通信部１１０へ出力する。また、制御部１１０６は、データ通信部１０９または赤外線通信部１１０から受信信号を取得し、取得した受信信号を解析することにより所定の情報を取得する。また、制御部１１０６は、処理指示部１０６から電源電圧がしきい値以下になった旨の通知を受けた際に、抽出リスト生成部１１０２に対して、リストの作成を指示する。また、制御部１１０６は、抽出リスト生成部１１０２から処理終了信号が入力した際に、ポイント付与部１１０３に対して、優先度を設定するように指示する。また、制御部１１０６は、ポイント付与部１１０３から処理終了信号が入力した際に、ランキング抽出部１１０４に対してリストの作成を指示する。
【００７４】
次に、情報通信端末装置１１００を用いた情報提供方法について、図１２を用いて説明する。図１２は、情報提供方法を示す図である。
【００７５】
最初に、情報通信端末装置１１００の抽出リスト生成部１１０２は、内部メモリ１１０５にスケジュール情報１１０５ａが記憶されているか否かを判定する（ステップＳＴ１２０１）。
【００７６】
スケジュール情報１１０５ａが記憶されている場合には、抽出リスト生成部１１０２は、今日の予定があるか否かを判定する（ステップＳＴ１２０２）。
【００７７】
今日の予定がある場合には、抽出リスト生成部１１０２は、スケジュール情報１１０５ａから今日の予定を選択してリストを作成する（ステップＳＴ１２０３）。
【００７８】
図１３は、通信相手先情報を生成する方法を示す図である。図１３より、抽出リスト生成部１１０２は、選択した今日の予定を用いて、抽出リスト構造体＃１３０１を生成する。
【００７９】
図１２に戻って、次に、ポイント付与部１１０３は、抽出リスト構造体＃１３０１の各予定にポイント「１」を代入する。この結果、各リストＮｏにおけるポイントは参照符号＃１３０２のようになる。
【００８０】
次に、ポイント付与部１１０３は、抽出リスト構造体＃１３０１の各予定について、予定時刻が現在時刻よりも後か否かを判定する（ステップＳＴ１２０４）。例えば、現在時刻が１３：００の場合、リストＮｏ．０００２の予定は、現在時刻よりも後の時刻なので、ポイント付与部１１０３は、リストＮｏ．０００２に重み付けとしての係数「２」を乗算する（ステップＳＴ１２０５）。また、リストＮｏ．０００４の予定は、現在時刻よりも前の時刻、即ちすでに予定時刻を過ぎてしまった予定であるので、ポイント付与部１１０３は、係数を乗算しない。
【００８１】
次に、ポイント付与部１１０３は、全てのリストＮｏについてステップＳＴ１２０４及びステップＳＴ１２０５の処理が終了したか否か判定する（ステップＳＴ１２０６）。
【００８２】
全て終了していない場合には、ポイント付与部１１０３は、ステップＳＴ１２０４及びステップＳＴ１２０５の処理を繰り返す。
【００８３】
一方、全ての処理が終了している場合には、全てのリストＮｏのポイントは、ポイント最終値＃１３０３のようになる。
【００８４】
次に、ランキング抽出部１１０４は、ポイント最終値＃１３０３のポイントがしきい値（例えば、しきい値＝１）以上のＩＤに対応する電話番号及びメールアドレスを電話帳情報１１３ａから抽出する（ステップＳＴ１２０７）。
【００８５】
次に、ランキング抽出部１１０４は、図１４に示す検出結果の構造体等を生成し（ステップＳＴ１２０８）、保存制御部１０２は、ランキング抽出部１１０４が生成した図１４に示す構造体を内部メモリ１１０５の抽出結果テーブル１１０５ｃに記憶させる。
【００８６】
次に、情報通信端末装置１１００は、内部メモリ１１０５の抽出結果テーブル１１０５ｃに記憶した図１４の構造体を、通信相手先情報として表示部１１１に表示し、データ通信部１０９を介してサーバに送信し、または赤外線通信部１１０を介して通信相手端末に送信して、優先度の高い情報を提供する（ステップＳＴ１２０９）。
【００８７】
一方、ステップＳＴ１２０１でスケジュール情報がない場合、またはステップＳＴ１２０２で今日の予定がない場合は、提供する情報がないので処理を終了する。
【００８８】
このように、本実施の形態によれば、優先度の高い通信相手先の情報を選択して表示することにより、必要な情報を優先的に表示することができる。これにより、ユーザは、必要な情報を必要な時に閲覧することができる。また、本実施の形態によれば、電源の電圧が低下した際に通信相手先情報を提供するので、電話帳情報を記憶している情報端末装置を用いた通信が不能になった際に、他の通信端末装置で通信する際の電話帳として使用することができる。また、本実施の形態によれば、スケジュール情報に基づいて通信相手先情報を提供するので、今後の予定に合わせた通信相手先情報を提供することができる。
【００８９】
なお、本実施の形態において、スケジュール情報の今日の予定に登録されていない通信相手先は表示しないこととしたが、本発明はこれに限らず、スケジュール情報の今日の予定に登録されていない通信相手先を優先度に応じて表示するようにしても良い。また、本実施の形態において、予定の時刻が現在時刻よりも前であるか後であるかの判断結果に応じて重み付けしたが、本発明はこれに限らず、今日の予定に登録されている通信相手先に優先度を設定することなく通信相手先情報として提供しても良い。
【００９０】
上記実施の形態１及び実施の形態２において、電源の電圧が低下した際に通信相手先情報を提供することにしたが、本発明はこれに限らず、電源の電圧が低下しない場合に通信相手先情報を提供しても良い。また、上記実施の形態１及び実施の形態２において、情報端末装置にスピードダイヤル機能を設け、スピードダイヤル機能が選択された際に、任意の選択Ｎｏ．を組み合わせて通信相手先情報として表示するようにしても良い。また、上記実施の形態１及び実施の形態２において、情報端末装置にスピードアドレス機能を設け、メール新規作成時等にスピードアドレス機能が選択された際に、任意の選択Ｎｏ．を組み合わせて通信相手先情報として表示するようにしても良い。
【産業上の利用可能性】
【００９１】
本発明にかかる情報通信端末装置及び情報提供方法は、特にユーザが一番閲覧したい情報を優先的に提供するのに好適である。
【図面の簡単な説明】
【００９２】
【図１】本発明の実施の形態１に係る情報通信端末装置の構成を示すブロック図
【図２】本発明の実施の形態１に係る情報提供方法を示すフロー図
【図３】本発明の実施の形態１に係る発着信履歴を示す図
【図４】本発明の実施の形態１に係るメール送受信履歴を示す図
【図５】本発明の実施の形態１に係る通信相手先情報を生成する方法を示す図
【図６】本発明の実施の形態１に係るポイント付与後のポイントを見やすくまとめた図
【図７】本発明の実施の形態１に係るポイントの集計を示す図
【図８】本発明の実施の形態１に係る電話帳情報を示す図
【図９】本発明の実施の形態１に係る通信相手先情報を示す図
【図１０】本発明の実施の形態１に係る情報通信端末装置及びサーバの動作を示すシーケンス図
【図１１】本発明の実施の形態２に係る情報通信端末装置の構成を示すブロック図
【図１２】本発明の実施の形態２に係る情報提供方法を示すフロー図
【図１３】本発明の実施の形態２に係る通信相手先情報を生成する方法を示す図
【図１４】本発明の実施の形態２に係る通信相手先情報を示す図
【符号の説明】
【００９３】
１００  情報通信端末装置
１０１  位置検出部
１０２  保存制御部
１０３  抽出リスト生成部
１０４  ポイント付与部
１０５  ランキング抽出部
１０６  処理指示部
１０７  電圧残量検出部
１０８  電池
１０９  データ通信部
１１０  赤外線通信部
１１１  表示部
１１２  入力部
１１３  内部メモリ
【図１】
2009038600.tif 000003
【図２】
2009038600.tif 000004
【図３】
2009038600.tif 000005
【図４】
2009038600.tif 000006
【図５】
2009038600.tif 000007
【図６】
2009038600.tif 000008
【図７】
2009038600.tif 000009
【図８】
2009038600.tif 000010
【図９】
2009038600.tif 000011
【図１０】
2009038600.tif 000012
【図１１】
2009038600.tif 000013
【図１２】
2009038600.tif 000014
【図１３】
2009038600.tif 000015
【図１４】
2009038600.tif 000016